(57)【要約】      （修正有）【課題】布の中にＬＥＤが存在する衣服において、ＬＥＤをオフにした場合でも、美的外観を損なわないＬＥＤが埋め込まれた布を提供すると共に、その製造方法を提供する。【解決手段】主層（１）、少なくとも１つのＬＥＤ（２）、及び支持体（３）を含む布（１０）であって、ＬＥＤ（２）は、前記支持体（３）の結合面（３ａ）に配置され、結合面（３ａ）は、主層（１）の内面に結合され、支持体（３）は、ＬＥＤ（２）を論理制御ユニットに電気的に接続するための複数の電気的接続部（４）を含み、論理制御ユニットは、検知装置から来る検知信号に応じて、ＬＥＤ（２）を制御するように構成され、さらに主層（１）には、ＬＥＤ（２）によって放射された光を通過させるために、ＬＥＤ（２）に対応して配置された少なくとも１つの孔（５）が設けられた布である。【選択図】図１
2020059964.tif 000002
【特許請求の範囲】
【請求項１】
主層（１）、少なくとも１つのＬＥＤ（２）、複数の電気的接続部（４）、論理制御ユニット（６）、及び、前記複数の電気的接続部により前記論理制御ユニットに接続された検知装置（７）を含み、
前記論理制御ユニットは、前記検知装置（７）からの検知信号に基づいて、前記少なくとも１つのＬＥＤ（２）を制御するように構成されており、
前記主層（１）には、前記少なくとも１つのＬＥＤ（２）に対応して配置され、前記ＬＥＤから放射された光が通過できるように構成された、少なくとも１つの孔（５）又は少なくとも１つの被覆部（１２）が設けられていることを特徴とする布（１０）。
【請求項２】
請求項１において、支持体（３）を備え、前記少なくとも１つのＬＥＤ（２）は、前記支持体（３）の結合面（３ａ）に配置され、前記結合面（３ａ）は、前記主層（１）の内面（１ａ）に結合され、前記支持体（３）は前記複数の電気的接続部（４）を含んでいることを特徴とする布（１０）。
【請求項３】
請求項１又は２において、前記検知装置（７）は、タッチセンサ（８）を含んでいることを特徴とする布（１０）。
【請求項４】
請求項３において、前記タッチセンサ（８）は、静電容量式タッチセンサであることを特徴とする布（１０）。
【請求項５】
請求項１〜４のいずれか１項において、前記検知装置（７）は、前記主層（１）の検知部（９）に結合されていることを特徴とする布（１０）。
【請求項６】
請求項３に従属する請求項１又は２において、前記検知信号は、前記主層（１）の検知部（９）上のタッチイベントを示すことを特徴とする布（１０）。
【請求項７】
請求項６において、前記論理制御ユニット（６）は、前記布（１０）の前記検知部（９）で検出されたタッチイベントの位置に応じて少なくとも１つの前記ＬＥＤ（２）を制御するように構成されていることを特徴とする布（１０）。
【請求項８】
請求項２〜７のいずれか１項において、前記支持体（３）は、リボンの形をしていることを特徴とする布（１０）。
【請求項９】
請求項２〜８のいずれか１項において、前記支持体（３）は、プラスチック及び／又は布からなることを特徴とする布（１０）。
【請求項１０】
請求項２〜９のいずれか１項において、前記支持体（３）は、少なくとも１０％弾性的に伸縮可能であることを特徴とする布（１０）。
【請求項１１】
請求項２〜１０のいずれか１項において、前記少なくとも１つのＬＥＤ（２）は、前記支持体（３）の前記結合面（３ａ）から突出し、少なくとも部分的に前記少なくとも１つの孔（５）を通過するように構成されていることを特徴とする布（１０）。
【請求項１２】
請求項２〜１１のいずれか１項において、支持体（３）は、積層により主層（１）に結合されていることを特徴とする布（１０）。
【請求項１３】
請求項１〜１２のいずれか１項において、前記少なくとも１つの孔（５）の寸法は、前記少なくとも１つのＬＥＤ（２）の寸法と実質的に同じであることを特徴とする布（１０）。
【請求項１４】
請求項１〜１３のいずれか１項において、前記なくとも１つの孔（５）はレーザー加工によって形成されていることを特徴とする布（１０）。
【請求項１５】
請求項１〜１４のいずれか１項において、前記布（１０）は、複数の前記ＬＥＤ（２）及び前記複数の孔（５）を備えており、前記各ＬＥＤ（２）に対して前記各孔（５）が、対応して配置されていることを特徴とする布（１０）。
【請求項１６】
請求項１〜１５のいずれか１項において、前記被覆部（１２）は、前記主層（１）に固定されていることを特徴とする布（１０）。
【請求項１７】
請求項１〜１６のいずれか１項において、前記被覆部（１２）は、前記電気的接続部（４）および前記少なくとも１つのＬＥＤ（２）を収容するための、実質的に管状のハウジングを形成していることを特徴とする布（１０）。
【請求項１８】
請求項１〜１７のいずれか１項に記載の布（１０）を含むことを特徴とする物品（１１）。
【請求項１９】
前記物品は、衣服又はフィジェットデバイスであることを特徴とする請求項１８に記載の物品（１１）。
【請求項２０】
請求項１８又は１９のいずれか１項において、前記物品（１１）は、前記布（１０）を含むポケット（１１ａ）を有し、前記検知装置（７）が、前記ポケット（１１ａ）内に配置されていることを特徴とする物品（１１）。
【請求項２１】
請求項２０において、論理制御ユニット（６）は、前記ポケット（１１ａ）内の物体の存在及び／又は不在を示す前記検知装置（７）から来る検知信号に応じて前記少なくとも１つの前記ＬＥＤ（２）を制御するように構成されていることを特徴とする物品（１１）。
【請求項２２】
請求項１〜１７のいずれか１項に記載の布（１０）を製造する方法であって、
（ａ）複数の電気的接続部（４）を提供し、
（ｂ）前記少なくとも１つのＬＥＤ（２）を前記電気的接続部（４）に電気的に接続し、
（ｃ）前記主層（１）に、前記少なくとも１つの孔（５）又は前記少なくとも１つの前記被覆部（１２）を設け、
（ｄ）前記少なくとも１つのＬＥＤ（２）を、前記主層（１）に結合し、かつ
前記ステップ（ｄ）において、前記少なくとも１つの孔（５）、又は前記少なくとも１つの被覆部（１２）を、前記少なくとも１つのＬＥＤ（２）によって放射された光を通過させるように、前記少なくとも１つのＬＥＤ（２）に対応して配置することを特徴とする方法。
【請求項２３】
請求項２２において、前記ステップ（ａ）で、前記複数の電気的接続部（４）を有する前記支持体（３）を提供し、
前記ステップ（ｂ）で、前記支持体（３）の前記結合面（３ａ）に前記少なくとも１つのＬＥＤ（２）を配置し、前記少なくとも１つのＬＥＤ（２）を、前記支持体（３）の前記電気的接続部（４）に電気的に接続し、
前記ステップ（ｄ）で、前記支持体（３）の結合面（３ａ）が前記主層（１）の内面（１ａ）に結合されるようにして、前記支持体（３）を前記主層（１）に結合することを特徴とする方法。
【請求項２４】
請求項２３において、前記支持体（３）は、少なくとも１０％弾性的に伸縮可能であり、さらに、前記ステップ（ｄ）の間に、前記支持体（３）を伸張させるステップを含むことを特徴とする方法。
【請求項２５】
請求項２３又は２４において、前記ステップ（ｄ）を、積層により実行することを特徴とする方法。
【請求項２６】
請求項２２〜２５のいずれか１項において、前記主層（１）に、少なくとも１つの前記孔（５）を設けるステップ（ｃ）を、レーザー切断により実行することを特徴とする方法。
【請求項２７】
請求項２２〜２５のいずれか１項において、前記主層（１）に前記少なくとも１つの被覆部（１２）を設けるステップ（ｃ）で、前記被覆部（１２）を前記主層（１）に固定し、前記被覆部（１２）は、前記複数の電気的接続部（４）及び前記少なくとも１つのＬＥＤ（２）を収容するための実質的に管状のハウジングを形成することを特徴とする方法。
【発明の詳細な説明】
【技術分野】
【０００１】
本発明は、Ｅ−テキスタイルの分野（さらには、スマート衣服、スマート衣類、スマートテキスタイル、あるいはスマートファブリックとして知られている分野）に関する。
特に、本発明は、１個または複数のＬＥＤ（発光ダイオード）が埋め込まれているスマートファブリック、及びそのスマートファブリックの製造方法に関する。
【背景技術】
【０００２】
Ｅ−テキスタイル、特にスマート衣類には、一般に、さまざまな目的に使用される衣料品（例えば、Ｔシャツ、靴、手袋、パンツなど）を提供するための電子部品（例えば、センサ、アクチュエーター、マイクロコントローラーなど）が付属している。
ＬＥＤを有する衣類として、例えば着用者のステップに応答してＬＥＤが作動する子供用の靴、及び、布にＬＥＤが連結されているＴシャツやジャケットなどが知られている。
【０００３】
これらの衣類は、例えば、派手な外観とするために、又は着用者の存在を知らせるために、（例えば、ジョギング中、又は、暗い道で自転車やバイクに乗っているときなどにおいて）使用される。
ただし、多くの場合、布の中にＬＥＤが存在すると、特にＬＥＤをオフにした場合に、衣服のスタイリッシュな外観を損なう可能性がある。
【発明の概要】
【発明が解決しようとする課題】
【０００４】
本発明の目的は、上記した先行技術の欠点を克服し、美的外観を損なうことなく、物品に使用できる、１個または複数のＬＥＤが埋め込まれた布を提供することである。
本発明のさらなる目的は、１個または複数のＬＥＤが埋め込まれ、スタイリッシュな外観を有する物品に使用できる布を、簡単かつ信頼性の高い方法で製造する方法を提供することである。
【課題を解決するための手段】
【０００５】
これらの目的及び他の目的は、本発明の独立請求項に記載の布、物品、及び製造方法によって達成される。
本発明の好ましい態様は、従属請求項に記載されている。
【０００６】
特に、本発明による布は、主層と少なくとも１つのＬＥＤを備えている。
前記主層は、２つの表面の間に位置する、実質的に平面状を呈している。特に、前記主層は、実質的に二次元の広がり、すなわち、他の２つの次元に対して実質的に無視できる三次元の一つ（二面間の距離によって定義される厚さ）を有している。
前記主層は、内面と外面を備えている。前記主層は、例えば、織物層、編物層又は不織布層からなっている。
【０００７】
本発明による前記布は、検知装置から来る検知信号に応じて、ＬＥＤを制御するようになっている論理制御ユニットに、１個または複数のＬＥＤを電気的に接続する複数の電気的接続部を有している。
本発明の一態様によれば、前記主層は、前記ＬＥＤに対応して設けられた、少なくとも１つの孔、又は少なくとも１つの被覆部を有している。
【０００８】
この態様のため、前記ＬＥＤは、オフにされるとユーザの視界から隠されるが、前記ＬＥＤが発する光は、孔又は被覆部を通過できる。すなわち、前記ＬＥＤが発する光は、外部からは見える。
前記の孔を通過する光の量を調整するために、前記の孔の寸法及び／又は位置をどのように選択するかは、当業者なら知っている事項である。
同様に、前記材料を選択する方法、及び／又は、前記被覆部を通過する光の量を調整するために、（例えば、被覆部の厚さ又は半透明性を選択することにより）前記被覆部をどのように構成すべきかは、当業者なら知っている事項である。
【０００９】
前記被覆部は、好ましくは、ＬＥＤから放射された光を通過させるようにする材料からなる層である。例えば、前記被覆部は、プラスチック製の層、又は布層（例えば織物）であってもよい。
前記布は、主層、少なくとも１つのＬＥＤ、及び支持体を含んでいることが好ましい。
【００１０】
前記支持体は、２つの表面間に含まれる実質的に平面状を呈している。
特に、前記支持体は、実質的に二次元の広がりを有している。すなわち、他の２つの次元に対して実質的に無視できる、三次元の一つ（二つの表面間の距離により規定される厚さ）を有している。
前記支持体には、結合面と内面が設けられている。好ましくは、前記１個または複数のＬＥＤが、前記支持体の結合面に配置されている。
前記支持体は、検知装置から来る検知信号に応じて、前記ＬＥＤを制御するように構成された論理制御ユニットに、前記ＬＥＤを電気的に接続するための複数の電気的接続部を含んでいる。
【００１１】
本発明の１つの態様によれば、前記支持体の結合面は、前記主層の内面と結合される。前記主層には、好ましくは、前記ＬＥＤから放射された光を通過させるための、前記各ＬＥＤに対応して配置された少なくとも１つの孔が設けられている。
幾つかの実施形態では、前記主層に、前記ＬＥＤによって放射される光が通過できるようにするために、前記各ＬＥＤに対応して配置された少なくとも１つの被覆部を設けても良い。好ましくは、前記被覆部は不透明ではなく、より好ましくは、前記被覆部は半透明である。例えば、前記被覆部は、厚さの薄い（好ましくは、主層の厚さよりも薄い）布層であってもよい。例えば、前記被覆部は、ガーゼなどの白い布層を含んでいる。
【００１２】
本発明の１つの態様によれば、前記被覆部は、前記電気的接続部と前記ＬＥＤとを収容するための、実質的に管状のハウジングを形成するように構成されている。
前記被覆部は、好ましくは、例えば、縫い合わせ、縫い付け、又は当技術分野で知られている他の同等の固定手段によって、前記主層に固定されている。
この態様により、前記ＬＥＤを、簡単で信頼性の高い方法で、布内に埋め込むことができる。
【００１３】
好ましくは、前記布は、複数のＬＥＤと複数の孔とを備え、各ＬＥＤに対して１つの孔が、対応して配置されている。
本発明の１つの態様によれば、前記検知装置は、好ましくは、前記主層の検知部に結合されている。好ましくは、前記検知装置には、タッチセンサ、より好ましくは静電容量式タッチセンサが含まれる。
幾つかの実施形態では、前記検知信号が、前記主層の検知部上におけるタッチイベントを示すように構成されている。
【００１４】
本発明の１つの態様によれば、前記支持体はリボンとして形成されている。好ましくは、前記支持体は、プラスチック及び／又はテキスタイルで作られている。前記支持体は、弾性的に少なくとも１０％伸縮可能であるのが良い。
【００１５】
本発明の１つの態様によれば、前記孔の寸法は、前記ＬＥＤの寸法と実質的に同じである。言い換えれば、前記孔及び前記ＬＥＤを上方から見た面積は、実質的に同じである。すなわち、前記ＬＥＤが前記支持体に結合され、前記孔が前記主層に設けられている場合、前記支持体及び前記主層の両方に平行な平面上の前記ＬＥＤ及び前記孔の正射影は、実質的に同じ面積を有する。
好ましくは、前記ＬＥＤは、前記支持体の前記結合面から突出し、少なくとも部分的に前記孔を通過している。
本発明の１つの態様によれば、前記主層の前記孔は、レーザー切断によって作られている。
本発明の１つの態様によれば、前記支持体は、積層により前記主層に結合されている。
【００１６】
本発明のさらなる目的は、本発明の前記布を含む物品を提供することにある。
好ましくは、前記物品は衣服である。
本発明の１つの態様によれば、前記物品には、本発明による前記布を含むポケットが設けられ、このポケット内に検知装置が配置される。
【００１７】
本発明のさらなる目的は、本発明による布を製造する方法の提供にあり、この方法は、以下のステップを含んでいる。
（ａ）複数の電気的接続部を提供し、
（ｂ）１つ又は複数のＬＥＤを、前記電気的接続部に電気的に接続し、
（ｃ）主層に、少なくとも１つの孔又は少なくとも１つの被覆部を設け、
（ｄ）前記ＬＥＤを前記主層に結合する。
本発明の１つの態様によれば、前記ステップ（ｄ）では、前記ステップ（ｃ）で前記主層に設けられた前記孔又は前記被覆部が、前記ＬＥＤの発する光を通過させることができるように、前記ＬＥＤに対応して調整される。
【００１８】
好ましくは、前記ステップ（ａ）では、前記複数の電気的接続部を有する支持体を提供し、前記ステップ（ｂ）では、前記支持体の結合面上に、１個または複数のＬＥＤを配置し、前記ＬＥＤを、前記支持体の電気的接続部に電気的に接続し、前記ステップ（ｄ）では、前記支持体の前記結合面が前記主層の内面に結合されるようにして、前記支持体を前記主層に結合する。
好ましくは、前記支持体は、少なくとも１０％弾性的に伸縮可能であり、本発明の製造方法は、前記ステップ（ｄ）中に、前記支持体を伸張するさらなるステップを含んでいる。
本発明の１つの態様によれば、前記ステップ（ｄ）は積層によって実行される。
好ましくは、前記主層に前記少なくとも１つの孔を設ける前記ステップ（ｃ）は、レーザー切断により実行される。
好ましくは、前記主層に前記少なくとも１つの被覆部を設ける前記ステップ（ｃ）は、前記被覆部を前記主層に固定することにより実行され、前記被覆部は、前記電気的接続部及び前記ＬＥＤを収容するための実質的に管状のハウジングを形成するように配置される。
【００１９】
本発明のさらなる目的は、本発明の前記布を含む物品の、フィジェットデバイスとしての使用、又は、一般にユーザがそれで遊ぶことができるデバイスとしての使用を提供することにある。
フィジェットデバイス（「フィジェットトイ」とも呼ばれる）は、フィジェット（進行中のタスクやイベントに必須ではない方法で、落ち着きなく動き回る行為）の影響を軽減することを目的としている。
本発明によれば、本発明の物品（例えば衣服）を使用することにより、例えば自閉症や注意欠陥多動性障害（ＡＤＨＤ）の生徒の集中力を向上させ、あるいは、一般のユーザがそれで遊ぶことができるデバイスを提供することができる。
【図面の簡単な説明】
【００２０】
【図１】本発明の一実施形態による布を模式的に示す透視図である。
【図２】本発明の一実施形態による、図１の布を製造する方法の主要なステップを模式的に示す平面図である。
【図３】図１の布を製造する方法の、主要なステップを模式的に示す平面図である。
【図４】図１の布を製造する方法の、主要なステップを模式的に示す平面図である。
【図５】図１の布を製造する方法の、主要なステップを模式的に示す平面図である。
【図６】図６Ａは、図５に示す布の、Ａ−Ａ断面を模式的に示す図である。図６Ｂは、図６Ａの一部の縦断面の拡大図である。
【図７】本発明の他の実施形態による布を模式的に示す透視図である。
【図８】本発明の一実施形態による物品を模式的に示す透視図である。
【図９Ａ】本発明の一実施形態による布の透視図である。
【図９Ｂ】図９Ａの布のＢ−Ｂ断面を模式的に示す図である。
【図１０】本発明による布の１つの特定の実施形態を模式的に示す透視図である。
【図１１】本発明による布の他の特定の実施形態を模式的に示す透視図である。
【発明を実施するための形態】
【００２１】
以下、添付の非限定的な図面を参照しながら、実施例を基に本発明をより詳細に説明する。
一般的な慣行の通り、図面のさまざまな特徴は必ずしも縮尺どおりではない。むしろ、さまざまな機能部の寸法は、それを明確にするために適宜拡大又は縮小されている。明細書及び図面全体を通して、同じ数字は、同じ要素を示している。
【００２２】
図１は、本発明の一実施形態による、布１０の平面を模式的に示している。特に、布１０は、２つの表面（内面１ａ及び外面１ｂ）の間に含まれる実質的に平らな、主層１を含んでいる。この主層１は、例えば、織物層、編物層、又は不織布層を含んでいる。この布１０は、さらに、少なくとも１つのＬＥＤ２と支持体３を備えている。
支持体３は、結合面３ａと内面３ｂとを有している。ＬＥＤ２は、支持体３の結合面３ａ上に配置されている。特に、支持体３は、ＬＥＤ２が電気的に接続される複数の電気的接続部４を備えている。支持体３の結合面３ａは、主層１の内面１ａに結合されている。
主層１には、ＬＥＤ２によって放射された光が通過できるようにするために、ＬＥＤ２に対応して配置された、少なくとも１つの孔５が設けられている。
【００２３】
図１の平面図は、主層１の下に配置された（点線で示されている）部分と、ブロック枠に接続された露出部分とを備える支持体３を模式的に示している。電気的接続部４は、ＬＥＤ２を、論理制御ユニット６に電気的に接続している。論理制御ユニット６は、検知装置７からの検知信号に応答してＬＥＤ２を制御するように構成されている。
検知装置７は、１つ又は複数のタイプのセンサを備えている。特に検知装置７は、少なくとも１つの加速度計、及び／又は少なくとも１つの磁力計、及び／又は、少なくとも１つのジャイロメーター、及び／又は、少なくとも１つのタッチセンサを備えている。
以下に、より詳細に説明するように、論理制御ユニット６は、上記複数のセンサのうちの１個または複数によって検知された特定のイベントを示す検知信号を、検知装置７から読み出し、この検知信号に応答して、所定の論理関数に従って、ＬＥＤ２を制御する。
【００２４】
図２〜図５は、本発明による布１０を製造するための、可能な実施形態の主要なステップを示している。特に、本発明の製造方法は、以下のステップを含んでいる。
（ａ）複数の電気的接続部４を有する支持体３を設け、
（ｂ）少なくとも１つのＬＥＤ２を、前記電気的接続部４に電気的に接続し、
（ｃ）前記主層１に、少なくとも１つの孔５（図４参照）、又は少なくとも１つの被覆部１２（図９Ａ、図９Ｂ参照）を設け、
（ｄ）前記１つ又は複数のＬＥＤ２を、前記主層１に結合する。
【００２５】
図２〜図５に示されている方法の特定の実施形態においては、好ましくは、以下の各ステップが実行される。
ステップ（ａ）では、複数の電気的接続部４を有する支持体３を設ける。
ステップ（ｂ）では、支持体３の結合面３ａ上に１個または複数のＬＥＤ２を配置し、このＬＥＤ２を支持体３の電気的接続部４に電気的に接続する。
そして、ステップ（ｄ）では、支持体３の結合面３ａが主層の内面１ａに結合されるように、支持体３を主層１に結合する。
言い換えると、図２〜図５に示されている方法の実施形態は、以下のステップを含んでいる。
（ａ）複数の電気的接続部４を有する支持体３を設け（図２）、
（ｂ）支持体３の結合面３ａ上に、少なくとも１つのＬＥＤ２を配置し、これらのＬＥＤ２を電気的接続部４に電気的に接続し（図３）、
（ｃ）少なくとも１つの孔５を、主層１に設け（図４）、
（ｄ）支持体３の結合面３ａが主層１の内面１ａに結合されるようにして、支持体３を主層１に結合する（図５）。
【００２６】
支持体３は、プラスチック及び／又はテキスタイルで形成されることが好ましい。
図６Ａに明確に示されているように、支持体３は、結合面３ａと内面３ｂとの間に含まれる、実質的に平面の形状を有する。
図２に示す支持体３は、好ましくはリボンとして形作られている。
支持体３は、プラスチックで形成されることが好ましい。支持体３は、好ましくは「カプトン」（登録商標）で形成されたプラスチックリボンであり、電気的接続部４は、リボンに沿って互いに平行に配置された導電性トラックである。「カプトン」は、１９６０年代後半にデュポン社によって開発されたポリイミドフィルムであり、幅広い温度範囲で安定しており、特にフレキシブルプリント回路などで、一般的に使用されている。
図２では、バッテリー又は適切な電源（図示略）から、ＬＥＤ２へ電力を供給するように構成された、２つの電気的接続部４のみを備える支持体３が示されている。
【００２７】
他の実施形態として、支持体３は、例えば同じ支持体３に結合された複数のＬＥＤ２を選択的に制御するために、複数の電気的接続部４を備え、かつ、通信バスを形成しても良い。
好ましくは、支持体３は可撓性である。すなわち、支持体３は、加えられた力に応じて、破損することなく容易に曲げられるか、又は変形することができる。その結果、支持体３が主層１に結合されたとき、布１０もまた、例えば湾曲した表面、又は一般的には平坦でない表面に追従しうるように曲げられる。
【００２８】
幾つかの実施形態において、支持体３はテキスタイル製でも良い。
例えば、支持体３は、電気的接続部４を形成する導電性糸でテキスタイル糸を織るか又は編むことにより形成されてもよい。支持体３は、少なくとも１０％、弾性的に伸縮可能であることが好ましい。
換言すれば、支持体３の端部に所定の力を加えることにより、支持体３を、少なくとも１０％引き伸ばす（すなわち、その長さを増加させることにより変形させる）ことができる。この力を取り除くと、支持体３は弾性的に元の寸法に戻る。
例えば、図２において、支持体３は、電気的接続部４を形成する導電性糸で織られるか又は編まれた、好ましくは伸縮性の伸縮性糸を含むテキスタイル材料で形成されている。
幾つかの実施形態では、支持体３の各電気的接続部４は、（例えば銅製の）導電性糸と（例えば撚ることにより）結合された、（例えば、弾性伸縮性コアを形成する）弾性伸縮性糸を含んでいる。
【００２９】
他の実施形態（図示せず）では、支持体３の電気的接続部４は、波状（波状）又はジグザグ経路などの屈曲経路（すなわち、連続的な非線形経路）に沿って配置されていても良い。
電気的接続部４は、弛緩位置で、すなわち、伸張力が加えられたときよりも伸張力が存在しない状態で、より曲がった経路をたどる傾向がある。換言すれば、リボンに伸張力が加えられると、電気的接続部４は、より直線的な形状の経路をたどり、電気的接続部４は真っ直ぐになる。
【００３０】
他の実施形態では、支持体３は、プラスチック及びテキスタイルの両方のリボンを含んでいても良い。例えば、支持体３は、ＬＥＤ２が結合される回路基板を形成するプラスチック材料（例えば、カプトン）の少なくとも一部と、ＬＥＤ２に電気的に接続された電気的接続部４を含むテキスタイル製のリボンとを含んでいてもよい。
好ましくは、リボンの電気的接続部４は、同軸ケーブルでもよい。より好ましくは、リボンは、少なくとも１０％弾性的に伸縮可能であり、同軸ケーブルは曲がった経路に沿って配置される。
【００３１】
支持体３の弾性伸縮性は、以下の基準で評価される。
ＡＳＳＴＭ  Ｄ４９６４−弾性布の張力と伸び（ＣＲＥ引張試験機）；
ＡＳＴＭ  Ｄ６６１４−テキスタイルファブリックの伸縮特性−ＣＲＥ法；
ＡＳＴＭ  Ｄ５２７８／Ｄ５２７８Ｍ−０９（２０１７）−狭い弾性布の伸びのための標準試験方法（静的負荷試験）。
好ましくは、支持体３の弾性伸縮性を評価するために使用される標準は、ＡＳＴＭ  Ｄ５２７８／Ｄ５２７８Ｍ−０９（２０１７）である。
【００３２】
図３において、ＬＥＤ２は、例えば、はんだ付けにより、又は導電性ペーストにより、支持体３の電気的接続部４に電気的に接続される。
図４において、孔５が主層１に設けられ、内面１ａ及び外面１ｂを貫通する通路を形成する。孔５は、主層１の所定部分において、この主層１の材料を除去することにより作製される。孔５の寸法は、ＬＥＤ２の寸法と実質的に同じであることが好ましい。孔５は、所定の形状（好ましくはＬＥＤの形状と実質的に同じ）を高精度で得るために、好ましくはレーザー切断によって作られる。
【００３３】
図５に示すように、ステップ（ｄ）において、支持体３は、ＬＥＤ２によって放射された光が孔５を通過できるように、ＬＥＤ２に対する孔５の位置を調整して、主層１に結合されている。
【００３４】
好ましくは、少なくとも１０％弾性的に伸張可能な支持体３の場合、本発明の方法の幾つかの実施形態では、ステップ（ｄ）中に支持体３を伸張させるさらなるステップを含むことができる。その結果、結合面３ａに結合された複数のＬＥＤ２を有する同じ支持体３を、互いに異なる距離に配置された複数の孔５を有する異なる主層１に結合することができる。言い換えると、支持体３を伸張させるステップは、各ＬＥＤ２が、それらに対応する孔５を主層１上で見出せるようにして実行される。
【００３５】
図６Ａ及び図６Ｂに示すように、支持体３は、この支持体３の結合面３ａが主層１の内面１ａに結合されるようにして、主層１に結合されている。
好ましくは、支持体３は、積層によって主層１に結合される。例えば、主層１の内面１ａと支持体３の結合面３ａとの間に接着部が形成されるように、接着材料（積層体）を使用して積層を行うことができる。
【００３６】
主層１の内面１ａと支持体３の結合面３ａとの間に、両面接着剤を有する積層材料（フィルム又はシート）を使用して、主層１と支持体３とを結合してもよい。このようにすると、支持体３は主層１に容易に結合され、主層１の孔５に対するＬＥＤ２の正確な位置決めが可能になる。
【００３７】
幾つかの実施形態では、支持体３の内面３ｂ上にさらなる積層を行っても良い。
例えば、片面接着剤を有するさらなる積層材料（図示せず）を、支持体３の内面３ｂ及び主層１の内面１ａの周囲部分を覆うのに使用することができる。その結果、支持体３の内面３ｂは保護され、主層１と支持体３との間の結合はより信頼できるものとなる。
【００３８】
図６Ｂの拡大図に示すように、ＬＥＤ２は、支持体３の結合面３ａから突出し、少なくとも部分的に孔５を通過する。
幾つかの実施形態では、ＬＥＤ２が孔５を通過し、さらに主層１の外面１ｂからわずかに突出していても良い。
好ましくは、主層１の厚さ、及びＬＥＤのタイプは、ＬＥＤ２が主層１の外面１ｂと実質的に同一面となるように選択される。
適切なＬＥＤは、ＳＭＤ  ＬＥＤである。すなわち、表面実装技術（ＳＭＴ＝Ｓｕｒｆａｃｅ  Ｍｏｕｎｔ  Ｔｅｃｈｎｏｌｏｇｙ）によるＬＥＤであり、できれば、８０５、６０３、又は４０５のパッケージを使用するのが良い。
【００３９】
図７は、支持体３の結合面３ａに複数のＬＥＤ２が繋がれ、電気的接続部４に電気的に接続されている布１０の特別の実施例を示している。
主層１には、複数の孔５が設けられており、各ＬＥＤ２に対して各孔５がそれぞれに対応して配置されている。
例えば、ＬＥＤ２は、電気的接続部４に並列に電気的に接続され、検知装置７から来る検知信号に基づいて、論理制御ユニット６により全て一緒に制御されるようにしても良い。
【００４０】
好ましくは、幾つかの実施形態では、例えば、所定の方向において、検知装置７により検出された加速度が特定の閾値を超えたとき、又は、タッチイベントが検知装置７によって検知されたときに、すべてのＬＥＤ２が点灯する。
論理制御ユニット６により、さらなる論理機能を実行することもできる。例えば、論理制御ユニット６は、検知信号に応じてＬＥＤ２に提供される電圧の値を制御することができる。特に、幾つかの実施形態では、ＬＥＤに提供される電圧の値が検知信号に応じて論理制御ユニットにより決定され、ＬＥＤ２が発する光の強度が、検知信号の関数となる。言い換えれば、ＬＥＤ２に供給される電圧の値は、好ましくは、オフ値（ＬＥＤ２がオフになり、光が放射されない）とオン値（ＬＥＤ２がオンになる）との間の値になり、ＬＥＤは、論理制御ユニット６によって決定されたＯＮ値に比例する強度で発光する。
【００４１】
図８に示すように、布１０は、物品、好ましくは衣服１１に使用することができる。図８に示す衣服は、ポケット１１ａを含むズボンである。この実施形態では、物品である衣服１１のポケット１１ａは、本発明による布１０を含んでいる。特に、布１０の主層１は、ポケット１１ａの外側に配置された外面１ｂを有する織布層（例えばデニム）である。ポケット１１ａは、布１０に結合された（例えば縫われた）内側の裏地を含んでいる。
【００４２】
図７に示した布１０と同様に、図８のポケット１１ａは、主層１の内面１ａに結合された（点線で示される）支持体３上に配置された複数のＬＥＤ２を有する布１０を含んでいる。各ＬＥＤ２の光は、これらのＬＥＤ２と実質的に同じ寸法及び形状を有する孔５をそれぞれ通り抜けるので、衣服１１の外側からは、ＬＥＤ２の光のみが見えるようになる。
【００４３】
好ましくは、タッチセンサ８（例えば、静電容量式タッチセンサ）を備える検知装置７が、衣服１１のポケット１１ａ内に配置されている。検知装置７は、好ましくは、主層１の検知部９に結合されている。しかしながら、さらなる実施形態では、物品１１は、それに結合された検知装置７を備えていても良い。例えば、幾つかの実施形態では、検知装置７が、ポケット裏地の内壁に結合されたタッチセンサ８を備えていても良く、これも、本発明の保護の範囲内である。
【００４４】
図８に示す衣服１１は、論理制御ユニット６（点線の正方形として記号的に示されている）をさらに含んでいる。この論理制御ユニット６は、布１０の支持体３に結合されていてもよいし、衣服１１の別の部分に配置されていてもよい。例えば、論理制御ユニット６は、物品の縫い目（例えば衣服の縫い目）内に配置されたワイヤ、導電性トレース又は導電性糸によって支持体３の電気的接続部４に電気的に接続されてもよい。
論理制御ユニット６は、例えば、タッチセンサ８によって検出されたタッチイベントに応答して、すべてのＬＥＤ２をオンにするように構成されていてもよい。この実施形態では、ユーザがポケット１１ａ内に配置されたタッチセンサ８に触れると、布１０のＬＥＤ２は、論理制御ユニット６によってオンにされる。
【００４５】
幾つかの実施形態では、本発明の保護範囲内にある本発明の布１０を有するポケット１１ａを含む衣服１１（例えば、バッグ、フィジェットデバイスなど）以外の、他のタイプの物品を提供できる。
幾つかの実施形態では、物品１１はハウジングを含み、例えば物品は、バッグ（図示せず）であっても良く、本発明の布１０は、ハウジングの内壁に結合されている。そのため、ユーザがハウジング内に手を挿入したとき、又は物品の決められた部分に触れたとき、ＬＥＤが、物品に結合された検知装置（タッチセンサなど）からの検知信号に応答して、ハウジングの内部を点灯できるようになっている。
【００４６】
図９Ａ及び図９Ｂは、本発明による布１０のさらなる実施形態を示すものである。特に、図９Ａは、布１０の平面を模式的に示している。布１０は、主層１、１個または複数のＬＥＤ２、このＬＥＤ２を論理制御ユニット６に電気的に接続する電気的接続部４、及び、各ＬＥＤ２に対応して配置された被覆部１２を備えている。
【００４７】
被覆部１２は、ＬＥＤ２によって放射された光がそこを通過することを可能にし、従って、使用者が外部から見ることができ、ＬＥＤがオフになったときも、ＬＥＤ２と電気的接続部４を隠すように構成されている。
例えば、被覆部１２は、厚さを薄くした（好ましくは主層１の厚さよりも薄い）布層であってもよい。例えば、被覆部１２は、ガーゼなどの白い布層を含んでいても良い。
図９Ｂの断面図に示すように、被覆部１２は、電気的接続部４及びＬＥＤ２を収容するための実質的に管状のハウジング１２ａを形成するように配置されていることが好ましい。
【００４８】
被覆部１２は、例えば、実質的にＵ字形に折り畳まれ、Ｕ字型となった被覆部１２の端部を閉じて、主層１に固定することにより、例えば縫合わせ１３により、又は当該技術分野で既知の他の同等の固定手段により、主層１に結合される。
【００４９】
１個または複数のＬＥＤが設けられたポケットを有する本発明の物品は、前記ＬＥＤがポケットに埋め込まれる方法とは独立して、本質的に独創的であることに留意されたい。ここで、前記ＬＥＤは、ポケット内に配置された検知デバイス（タッチセンサーなど）からの、ポケット内の物体の存在を示す検知信号に応じて、論理制御ユニットにより制御される。
言い換えれば、本発明のさらなる目的は、ポケットと、このポケットに結合された少なくとも１つのＬＥＤ、前記ポケット内に配置された検知装置（好ましくはタッチセンサ）、及び、論理制御ユニットを含む物品（好ましくは衣類）の提供にある。論理制御ユニットは、ポケット内の物体の存在を示す検知装置から来る検知信号により、前記少なくとも１つのＬＥＤを制御するように構成されている。
【００５０】
幾つかの実施形態では、この論理制御ユニットは、検知装置からの信号が変化すると、１個または複数のＬＥＤをオンにするように構成されている。例えば、物体がポケットに挿入された場合、及び／又は、物体がポケットから取り外された場合、ＬＥＤをオンにすることができる。
一般に、論理制御ユニットは、ポケット内の物体の存在及び／又は不在を示す検知装置から来る検知信号に応じて、ＬＥＤを制御するように構成されている。好ましくは、ポケットは、本発明の方法の実施形態として、又は当技術分野で既知の方法により、ＬＥＤが埋め込まれた布を含んでいる。
【００５１】
本発明による布１０は、衣服以外の他の物品１１に使用してもよい。例えば、布１０からなる物品１１は、ソファ枕カバーやフィジェットデバイスでも良い。
【００５２】
図１０及び図１１に示す、幾つかの実施形態では、布１０が、一方向のみに沿って設けられ（図１０参照）、又はＸＹ平面上に設けられ（図１１参照）、タッチイベントの位置を検出するように構成された、タッチセンサ８を備えている。このタッチセンサ８として、本願出願人の名義の欧州特許出願第Ｎｏ．ＥＰ１８１７２６７６．１号に記載され、以下のタイトルを有する、容量性タッチセンサを採用しても良い。
「位置感応型静電容量式タッチセンシング用複合糸」（特に９〜１５頁を参照）。この出願の内容は、参照のためにその全体が本願の明細書に組み込まれるものとする。
【００５３】
これらの実施形態では、論理制御ユニット６は、布１０の検知部９で検出されたタッチイベントの位置に応じて、ＬＥＤ２を制御するように構成されることが好ましい。例えば、物品１１には、図１０に示すように、直線経路に沿って配置された複数のＬＥＤ２と、これらのＬＥＤによって規定された経路に沿って配置された検知部９とを有する布１０を設けることができる。
論理制御ユニット６は、ＬＥＤ２によって規定された経路の長さに対する検出されたタッチイベントの位置の関数として、１個または複数のＬＥＤ２を選択的にオンにするように構成されている。例えば、ユーザが検知部９の中心に触れると、論理制御ユニット６は、ＬＥＤによって規定された経路の中心に配置されたＬＥＤ２をオンにする。
【００５４】
同様に、物品１１には、図１１に示すように、検知部９の２つ以上の側面に沿って配置された複数のＬＥＤ２を有する布１０を設けることができる。
論理制御ユニット６は、検知部９で検出されたタッチイベントのＸ−Ｙ座標に応じて、１個または複数のＬＥＤ２を選択的にオンにするように構成されている。例えば、図１１に示す実施形態において、ユーザが検知部９の中心に触れると、論理制御ユニット６は、２つの側面の中央に配置されたＬＥＤ２を点灯させる。
【符号の説明】
【００５５】
１    主層
１ａ  主層の内面
１ｂ  主層の外面
２    ＬＥＤ
３    支持体
３ａ  支持体の結合面
３ｂ  支持体の内面
４    電気的接続部
５    孔
６    論理制御ユニット
７    検知装置
８    タッチセンサ
９    検知部
１０    布
１１    物品（衣服）
１１ａ  ポケット
１２    被覆部
１２ａ  ハウジング
１３  縫合わせ
【図１】
2020059964.tif 000003
【図２】
2020059964.tif 000004
【図３】
2020059964.tif 000005
【図４】
2020059964.tif 000006
【図５】
2020059964.tif 000007
【図６】
2020059964.tif 000008
【図７】
2020059964.tif 000009
【図８】
2020059964.tif 000010
【図９Ａ】
2020059964.tif 000011
【図９Ｂ】
2020059964.tif 000012
【図１０】
2020059964.tif 000013
【図１１】
2020059964.tif 000014
【外国語明細書】
2020059964000001.pdf